(57)【要約】【課題】変調信号に依存せず、また、回路規模を大きくすることなく、振幅信号と位相信号との時間差を最適点に制御し、安定した特性を得ること。【解決手段】乗算器１７０は、振幅信号をアナログ・デジタル変換したデジタル振幅信号と角度変調信号をアナログ・デジタル変換した信号に相当するデジタル角度変調信号とを乗算して、振幅変調器１４０により生成される変調信号をアナログ・デジタル変換した信号に相当するデジタル変調信号を擬似的に生成する。そして、歪み算出部１８０は、デジタル変調信号の歪みを算出し、制御部１９０は、デジタル変調信号の歪みに基づいて、遅延時間を制御し、遅延調整部１３０は、振幅信号が振幅変調器１４０に入力されるまでの遅延時間、又は、角度変調信号が振幅変調器１４０に入力されるまでの遅延時間を調整する。【選択図】図２
2011146979.tif 000002
【特許請求の範囲】
【請求項１】
入力信号の角度信号を用いて、無線周波数領域の角度変調信号を生成する角度変調手段と、
前記角度変調信号の電力を前記入力信号の振幅信号に応じて増幅して変調信号を生成する振幅変調器と、
前記振幅信号をアナログ・デジタル変換したデジタル振幅信号を生成する第１の生成手段と、
前記角度変調信号をアナログ・デジタル変換した信号に相当するデジタル角度変調信号を生成する第２の生成手段と、
前記デジタル振幅信号と前記デジタル角度変調信号とを乗算して、前記変調信号をアナログ・デジタル変換した信号に相当するデジタル変調信号を擬似的に生成する乗算器と、
前記デジタル変調信号の歪みを算出する歪み算出手段と、
前記振幅信号が前記振幅変調器に入力されるまでの遅延時間、又は、前記角度変調信号が前記振幅変調器に入力されるまでの遅延時間を調整する調整手段と、
前記歪みに基づいて、前記遅延時間を制御する制御手段と、
を具備する送信装置。
【請求項２】
前記制御手段は、
前記歪みが小さくなるように、前記遅延時間を制御する、
請求項１に記載の送信装置。
【請求項３】
前記第１の生成手段は、
前記振幅信号をアナログ・デジタル変換して、前記デジタル振幅信号を生成するＡＤＣ、を具備する、
請求項１に記載の送信装置。
【請求項４】
前記第２の生成手段は、
前記角度信号をアナログ・デジタル変換して、デジタル角度信号を生成するＡＤＣと、
前記デジタル角度信号に基づいて、ベースバンド領域の前記デジタル角度変調信号を生成するデジタル角度変調手段と、を具備する、
請求項１に記載の送信装置。
【請求項５】
前記角度信号は、位相信号であり、
前記デジタル角度信号は、前記位相信号をアナログ・デジタル変換して得られるデジタル位相信号であり、
前記角度変調手段は、位相変調器であり、
前記デジタル角度変調手段は、
前記デジタル位相信号を用いて、前記位相信号の実数成分及び虚数成分をアナログ・デジタル変換したデジタル実数信号及びデジタル虚数信号を、前記デジタル角度変調信号として生成する複素数演算部、を具備し、
前記乗算器は、
前記デジタル振幅信号と前記デジタル実数信号とを乗算して前記デジタル変調信号の実数成分を生成する第１の乗算器と、
前記デジタル振幅信号と前記デジタル虚数信号とを乗算して前記デジタル変調信号の虚数成分を生成する第２の乗算器と、を具備し、
前記歪み算出手段は、
前記デジタル変調信号の実数成分及び虚数成分を用いて、前記歪みを算出する、
請求項４に記載の送信装置。
【請求項６】
前記角度信号は、周波数信号であり、
前記デジタル角度信号は、前記周波数信号をアナログ・デジタル変換して得られるデジタル周波数信号であり、
前記角度変調手段は、周波数変調器であり、
前記デジタル角度変調手段は、
前記デジタル周波数信号を積分してデジタル位相信号を生成する積分器と、
前記デジタル位相信号を用いて、前記デジタル角度変調信号として、前記位相信号の実数成分及び虚数成分をアナログ・デジタル変換したデジタル実数信号及びデジタル虚数信号を生成する複素数演算部と、を具備し、
前記乗算器は、
前記デジタル振幅信号と前記デジタル実数信号とを乗算して前記デジタル変調信号の実数成分を生成する第１の乗算器と、
前記デジタル振幅信号と前記デジタル虚数信号とを乗算して前記デジタル変調信号の虚数成分を生成する第２の乗算器と、を具備し、
前記歪み算出手段は、
前記デジタル変調信号の実数成分及び虚数成分を用いて、前記歪みを算出する、
請求項４に記載の送信装置。
【請求項７】
前記角度信号は、周波数信号であり、
前記角度変調手段は、周波数変調器であって、
減算器と、
前記減算器における減算結果から不要成分を除去するフィルタと、
前記フィルタ出力のレベルに応じた周波数で発振し、高周波信号を生成する発振器と、
前記高周波信号の周波数を検出して、検出結果をデジタル周波数信号として出力する周波数検出手段と、を具備し、
前記減算器は、前記周波数信号と、前記デジタル周波数信号とを比較し、
前記第２の生成手段は、
前記デジタル周波数信号を積分して、デジタル位相信号を生成する積分器と、
前記デジタル位相信号を複素数演算して前記デジタル角度変調信号を生成する複素数演算部と、を具備する、
請求項１に記載の送信装置。
【請求項８】
前記角度信号は、位相信号であり、
前記角度変調手段は、前記位相信号に応じた高周波信号を生成する発振器と、前記高周波信号の位相を検出して、検出結果をデジタル位相信号として出力する位相検出手段を具備する位相変調器であって、
前記第２の生成手段は、
前記デジタル位相信号を複素数演算して前記デジタル角度変調信号を生成する複素数演算部と、を具備する、
請求項１に記載の送信装置。
【請求項９】
前記位相変調器は、
前記位相信号と前記デジタル位相信号との差分を算出する減算器と、
前記減算器における前記差分から不要成分を除去するフィルタと、を更に具備し、
前記発振器は、前記フィルタ出力のレベルに応じた周波数で発振し、前記高周波信号を生成する、
請求項８に記載の送信装置。
【請求項１０】
前記角度変調手段は、直交変調器であり、
前記直交変調器は、前記角度信号として、規格化された同相信号及び直交信号を入力として、前記角度変調信号を生成し、
前記第２の生成手段は、
前記デジタル角度変調信号として、前記規格化された同相信号をアナログ・デジタル変換して、デジタル同相信号を生成する第１のＡＤＣと、前記規格化された直交信号をアナログ・デジタル変換して、デジタル直交信号を生成する第２のＡＤＣと、を具備し、
前記乗算器は、
前記デジタル振幅信号と前記デジタル同相信号とを乗算して前記デジタル変調信号の同相成分を生成する第１の乗算器と、
前記デジタル振幅信号と前記デジタル直交信号とを乗算して前記デジタル変調信号の直交成分を生成する第２の乗算器と、を具備し、
前記歪み算出手段は、
前記デジタル変調信号の同相成分及び直交成分を用いて、前記歪みを算出する、
請求項１に記載の送信装置。
【請求項１１】
前記第２の生成手段は、
前記角度変調手段により生成された無線周波数領域の前記角度変調信号をアナログ・デジタル変換して、無線周波数領域の前記デジタル角度変調信号を生成するＡＤＣを具備し、
前記乗算器は、
前記デジタル振幅信号と無線周波数領域の前記デジタル角度変調信号とを乗算して、前記デジタル変調信号を生成する、
請求項１に記載の送信装置。
【請求項１２】
前記第２の生成手段は、
無線周波数領域の前記デジタル角度変調信号をベースバンド領域に周波数変換する周波数変換器、を更に具備し、
前記乗算器は、
前記デジタル振幅信号とベースバンド領域の前記デジタル角度変調信号とを乗算して、前記デジタル変調信号を生成する、
請求項１０に記載の送信装置。
【請求項１３】
前記第２の生成手段は、
前記角度変調手段により生成された無線周波数領域の前記角度変調信号をベースバンド領域に周波数変換する周波数変換器と、
ベースバンド領域の前記角度変調信号をアナログ・デジタル変換して、ベースバンド領域の前記デジタル角度変調信号を生成するＡＤＣと、を具備し、
前記乗算器は、
前記デジタル振幅信号とベースバンド領域の前記デジタル角度変調信号とを乗算して、前記デジタル変調信号を生成する、
請求項１に記載の送信装置。
【請求項１４】
前記第２の生成手段は、
無線周波数領域の前記デジタル角度変調信号を直交復調することにより、無線周波数量域のデジタル同相信号及びデジタル直交信号を生成する直交復調器、を更に具備し、
前記乗算器は、
前記デジタル振幅信号と無線周波数領域の前記デジタル同相信号とを乗算して無線周波数領域の前記デジタル変調信号の同相成分を生成する第１の乗算器と、
前記デジタル振幅信号と無線周波数領域の前記デジタル直交信号とを乗算して無線周波数領域の前記デジタル変調信号の直交成分を生成する第２の乗算器と、を具備し、
前記歪み算出手段は、
無線周波数領域の前記デジタル変調信号の同相成分及び直交成分を用いて、前記歪みを算出する、
請求項１１に記載の送信装置。
【請求項１５】
アンテナと、
請求項１に記載の送信装置と、
受信装置と、
前記アンテナを前記送信装置と前記受信装置とで共用するためのアンテナ共用器と、
を具備する無線通信装置。
【請求項１６】
入力信号の角度信号を用いて、無線周波数領域の角度変調信号を生成し、
前記角度変調信号の電力を前記入力信号の振幅信号に応じて増幅し、
前記振幅信号をアナログ・デジタル変換したデジタル振幅信号を生成し、
前記角度変調信号をアナログ・デジタル変換した信号に相当するデジタル角度変調信号を擬似的に生成し、
前記デジタル振幅信号と前記デジタル角度変調信号とを乗算して、デジタル変調信号を生成し、
前記デジタル変調信号の歪みを算出し、
前記振幅信号が前記振幅変調器に入力されるまでの遅延時間、又は、前記角度変調信号が前記振幅変調器に入力されるまでの遅延時間を調整し、
前記歪みに基づいて、前記遅延時間を制御する、
送信方法。
【発明の詳細な説明】
【技術分野】
【０００１】
本発明は、携帯電話や無線ＬＡＮ等の通信機器に用いられる送信装置、無線通信装置及び送信方法に関する。
【背景技術】
【０００２】
従来の送信装置を、以下に示す。図１は、特許文献１に記載された従来の送信装置を示すものである。
【０００３】
入力端子１０−１から振幅信号が、入力端子１０−２から位相信号がそれぞれ入力される。入力端子１０−１に入力された振幅信号は、遅延時間を変化させることが可能な、可変遅延部１１を介して、振幅変調器１３に入力される。一方、入力端子１０−２に入力された位相信号は、角度変調器１２に入力され、ここで角度変調を施されたあと、振幅変調器１３のもう一方の入力に入力される。振幅変調器１３は角度変調器１２から出力された角度変調信号を、可変遅延部１１から出力された振幅信号で振幅変調し、振幅変調器１３の出力信号は、出力端子１７から出力される。
【０００４】
このように、振幅信号と位相信号とに分けて信号処理され、振幅変調器でそれらが振幅変調される構成をポーラ変調とよぶ。このようなポーラ変調器においては、振幅信号が通過する経路と、位相信号が通過する経路の時間がずれると、出力信号のスペクトラムが劣化するため、これらを精度良く合わせることが要求される。
【０００５】
図１では、最小振幅検出器１４、位相ジャンプ検出器１５、遅延制御部１６、可変遅延部１１を用いて、各経路の遅延時間が一致するよう制御している。
【先行技術文献】
【特許文献】
【０００６】
【特許文献１】米国特許第６９３７６６８号明細書
【発明の概要】
【発明が解決しようとする課題】
【０００７】
しかしながら、図１に示す方法では、信号が原点付近を通過しないときには、位相ジャンプを検出するのが難しいという課題がある。
【０００８】
本発明は、変調信号に依存せず、また、回路規模を大きくすることなく、振幅信号と位相信号との時間差を最適点に制御し、安定した特性を有する送信装置、無線通信装置及び送信方法を提供することを目的とする。
【課題を解決するための手段】
【０００９】
本発明の送信装置は、入力信号の角度信号を用いて、無線周波数領域の角度変調信号を生成する角度変調手段と、前記角度変調信号の電力を前記入力信号の振幅信号に応じて増幅して変調信号を生成する振幅変調器と、前記振幅信号をアナログ・デジタル変換したデジタル振幅信号を生成する第１の生成手段と、前記角度変調信号をアナログ・デジタル変換した信号に相当するデジタル角度変調信号を生成する第２の生成手段と、前記デジタル振幅信号と前記デジタル角度変調信号とを乗算して、前記変調信号をアナログ・デジタル変換した信号に相当するデジタル変調信号を擬似的に生成する乗算器と、前記デジタル変調信号の歪みを算出する歪み算出手段と、前記振幅信号が前記振幅変調器に入力されるまでの遅延時間、又は、前記角度変調信号が前記振幅変調器に入力されるまでの遅延時間を調整する調整手段と、前記歪みに基づいて、前記遅延時間を制御する制御手段と、を具備する構成を採る。
【００１０】
本発明の送信方法は、入力信号の角度信号を用いて、無線周波数領域の角度変調信号を生成し、前記角度変調信号の電力を前記入力信号の振幅信号に応じて増幅し、前記振幅信号をアナログ・デジタル変換したデジタル振幅信号を生成し、前記角度変調信号をアナログ・デジタル変換した信号に相当するデジタル角度変調信号を擬似的に生成し、前記デジタル振幅信号と前記デジタル角度変調信号とを乗算して、デジタル変調信号を生成し、前記デジタル変調信号の歪みを算出し、前記振幅信号が前記振幅変調器に入力されるまでの遅延時間、又は、前記角度変調信号が前記振幅変調器に入力されるまでの遅延時間を調整し、前記歪みに基づいて、前記遅延時間を制御するようにした。
【発明の効果】
【００１１】
本発明によれば、変調信号に依存せず、また、回路規模を大きくすることなく、振幅信号と位相信号との時間差を最適点に制御し、安定した特性を得ることができる。
【図面の簡単な説明】
【００１２】
【図１】従来の送信機を説明するブロック図
【図２】本発明の実施の形態１に係る送信装置の要部構成を示すブロック図
【図３】実施の形態１に係る送信装置の詳細な構成の一例を示すブロック図
【図４】実施の形態１に係る送信装置の詳細な構成の別の例を示すブロック図
【図５】本発明の実施の形態２に係る送信装置の要部構成を示すブロック図
【図６】実施の形態２に係る送信装置の要部構成を別の例示すブロック図
【図７】本発明の実施の形態３に係る送信装置の要部構成を示すブロック図
【図８】本発明の実施の形態４に係る送信装置の要部構成を示すブロック図
【図９】実施の形態４に係る送信装置の要部構成の別の例を示すブロック図
【図１０】実施の形態４に係る送信装置の要部構成の更に別の例を示すブロック図
【図１１】実施の形態４に係る送信装置の要部構成の更に別の例を示すブロック図
【図１２】本発明の実施の形態５に係る無線通信装置の要部構成を示すブロック図
【発明を実施するための形態】
【００１３】
以下、本発明の実施の形態について、図面を参照して詳細に説明する。
【００１４】
（実施の形態１）
図２は、本実施の形態に係る送信装置の要部構成を示すブロック図である。なお、図１の送信装置において、入力端子１１０−１からは振幅信号が入力され、入力端子１１０−２からは角度信号が入力される。なお、角度信号とは、位相信号又は周波数信号である。
【００１５】
角度変調器１２０は、入力信号の角度信号を入力とし、角度信号を角度変調して角度変調信号を生成し、角度変調信号を振幅変調器１４０に出力する。角度変調器１２０の内部構成については後述する。
【００１６】
遅延調整部１３０は、入力信号の振幅信号を入力とし、後述する制御部１９０から指示される遅延時間だけ振幅信号を遅延し、遅延後の振幅信号を振幅変調器１４０の電源電圧端子に出力する。
【００１７】
振幅変調器１４０は、角度変調信号を、遅延調整部１３０から入力された振幅信号で振幅変調し、得られた無線周波数帯の変調信号を出力端子１１０−３から出力する。これにより、角度変調信号の電力が、入力信号の振幅成分に応じて増幅されるようになる。
【００１８】
デジタル振幅信号生成部１５０は、入力信号の振幅信号をアナログ・デジタル変換したデジタル振幅信号を生成する。デジタル振幅信号生成部１５０は、ＡＤＣ（Analog to Digital Converter）１５１を有し、ＡＤＣ１５１は、振幅変調器１４０の電源電圧端子に入力される振幅信号を入力とし、当該振幅信号をデジタル信号に変換する。ＡＤＣ１５１は、変換後のデジタル振幅信号を乗算器１７０に出力する。
【００１９】
デジタル角度変調信号生成部１６０は、角度変調信号をアナログ・デジタル変換した信号に相当するデジタル角度変調信号を擬似的に生成する。
【００２０】
デジタル角度変調信号生成部１６０は、ＡＤＣ１６１及びデジタル角度変調器１６２を有する。
【００２１】
ＡＤＣ１６１は、角度変調器１２０に入力される角度信号を入力とし、当該角度信号をデジタル信号に変換し、変換後のデジタル角度信号をデジタル角度変調器１６２に出力する。
【００２２】
デジタル角度変調器１６２は、デジタル角度信号を角度変調してデジタル角度変調信号を生成する。デジタル角度変調器１６２は、デジタル角度変調信号を乗算器１７０に出力する。
【００２３】
乗算器１７０は、デジタル振幅信号と、デジタル角度変調信号とを乗算し、デジタル領域において変調信号（以下「デジタル変調信号」という）を生成する。このようにして、振幅変調器１４０により生成される変調信号をアナログ・デジタル変換した信号に相当するデジタル変調信号が擬似的に生成される。乗算器１７０は、デジタル変調信号を歪み算出部１８０に出力する。
【００２４】
歪み算出部１８０は、デジタル変調信号の歪みを計算し、得られた歪みを制御部１９０に出力する。歪み算出部１８０における歪み算出方法については後述する。
【００２５】
制御部１９０は、歪みが小さくなるように遅延調整部１３０における遅延時間を制御する。
【００２６】
図３は、入力端子１１０−２から入力される角度信号が、位相信号の場合の角度変調器１２０及びデジタル角度変調信号生成部１６０の構成例を示す。この場合、角度変調器１２０は、位相変調器１２１となる。また、デジタル角度変調器１６２は、ｅｘｐ（ｊｘ）演算器１６２１となる。ｅｘｐ（ｊｘ）演算器１６２１は、入力信号ｘに対して複素数演算を行って、ｅｘｐ（ｊｘ）を出力する。なお、角度信号が位相信号の場合、デジタル角度変調器１６２には、ＡＤＣ１６１からデジタル位相信号が入力される。
【００２７】
ｅｘｐ（ｊｘ）演算器１６２１において、デジタル位相信号は、実数部分と、虚数部分とに分離されて、ｃｏｓ（ｘ）演算器１６２１−１及びｓｉｎ（ｘ）演算器１６２１−２に入力される。そして、ｃｏｓ（ｘ）演算器１６２１−１及びｓｉｎ（ｘ）演算器１６２１−２は、入力ｘに対して、それぞれｃｏｓ（ｘ）、ｓｉｎ（ｘ）を演算して、演算結果を乗算器１７１−１、１７１−２に出力する。すなわち、ｅｘｐ（ｊｘ）演算器１６２１は、デジタル位相信号を用いて、位相信号の実数成分及び虚数成分をアナログ・デジタル変換して得られたデジタル実数信号及びデジタル虚数信号を、デジタル角度変調信号として生成する。
【００２８】
乗算器１７１−１は、ｃｏｓ（ｘ）とデジタル振幅信号とを掛け合わせた後、デジタル変調信号の実数成分として歪み算出部１８０に出力する。同様に、乗算器１７１−２は、ｓｉｎ（ｘ）とデジタル振幅信号とを掛け合わせた後、デジタル変調信号の虚数成分として歪み算出部１８０に出力する。図３における乗算器１７１−１、１７１−２は、図１の乗算器１７０に相当する。
【００２９】
図４は、入力端子１１０−２から入力される角度信号が、周波数信号の場合の角度変調器１２０及びデジタル角度変調信号生成部１６０の構成例を示す。この場合、角度変調器１２０は周波数変調器１２２となる。また、デジタル角度変調器１６２は、乗算器１６２２、積分器１６２３、ｅｘｐ（ｊｘ）演算器１６２１を有する。なお、角度信号が周波数信号の場合、デジタル角度変調器１６２には、ＡＤＣ１６１からデジタル周波数信号が入力される。
【００３０】
乗算器１６２２は、デジタル周波数信号の利得を調整する。乗算器１６２２の利得は、周波数変調器１２２に入力される信号のスケーリングに依存する。例えば、周波数変調器１２２に、デジタル周波数信号として、デジタル位相信号の差分（あるサンプル点の位相から１つまえのサンプル点の位相を引いたもの）が入力される場合には、乗算器１６２２の利得は１となり、乗算器１６２２は削除してもかまわない。
【００３１】
積分器１６２３は、利得調整後のデジタル周波数信号を積分し、デジタル位相成分信号を生成し、生成したデジタル位相成分信号をｅｘｐ（ｊｘ）演算器１６２１に出力する。
【００３２】
ｅｘｐ（ｊｘ）演算器１６２１は、入力ｘに対して、それぞれｃｏｓ（ｘ）、ｓｉｎ（ｘ）を演算し、演算結果を乗算器１７１−１、１７１−２に出力する。すなわち、ｅｘｐ（ｊｘ）演算器１６２１は、デジタル周波数信号を用いて、位相信号の実数成分及び虚数成分をアナログ・デジタル変換したデジタル実数信号及びデジタル虚数信号を、デジタル角度変調信号として生成する。
【００３３】
以上のように構成された送信装置１００の動作について説明する。
【００３４】
入力端子１１０−１から振幅信号が入力され、入力端子１１０−２から角度信号、すなわち、位相信号又は周波数信号が入力される。
【００３５】
入力端子１１０−２から入力された角度信号は、角度変調器１２０に入力され、角度変調により角度変調信号が生成され、角度変調信号は、振幅変調器１４０に入力される。入力端子１１０−１から入力された振幅信号は、遅延調整部１３０で遅延調整された後、振幅変調器１４０のもう一方の入力端子（電源電圧端子）に、入力される。
【００３６】
振幅変調器１４０では、角度変調器１２０から入力された角度変調信号が、遅延調整部１３０から入力された振幅信号で振幅変調されて変調信号が生成され、変調信号は出力端子１１０−３から出力される。
【００３７】
また、振幅変調器１４０に入力される振幅信号は、ＡＤＣ１５１によりデジタル信号に変換され、変換後のデジタル振幅信号は、乗算器１７０に入力される。
【００３８】
角度変調器１２０に入力される角度信号は、ＡＤＣ１６１でデジタル信号に変換され、変換後のデジタル角度信号は、デジタル角度変調器１６２に出力される。デジタル角度信号はデジタル角度変調器１６２で角度変調によりデジタル角度変調信号が生成され、変調後のデジタル角度変調信号は乗算器１７０に入力される。
【００３９】
乗算器１７０では、デジタル振幅信号とデジタル角度変調信号とが掛け算される。これにより、デジタル領域において変調信号（以下「デジタル変調信号」）が生成される。このデジタル変調信号は、振幅変調器１４０から出力されるアナログ領域における変調信号をアナログ・デジタル変換したベースバンド領域における信号とほぼ等価の信号である。このようにして、本実施の形態では、振幅変調器１４０から出力される変調信号と等価なデジタル変調信号を擬似的に生成し、以降、当該デジタル変調信号を用いて、振幅経路と角度経路との遅延を調整する。
【００４０】
デジタル変調信号は、歪み算出部１８０に入力され、歪み算出部１８０では、デジタル変調信号の歪みが計算され、歪みが小さくなるように制御部１９０を介して、遅延調整部１３０が制御される。
【００４１】
次に、歪み算出部１８０の動作について説明する。
【００４２】
歪み算出部１８０では、乗算器１７０から出力されたデジタル変調信号である複素信号がフーリエ変換され、所望信号の大きさと歪み信号の大きさとが比較され、その比率が制御部１９０に出力される。例えば、ＵＭＴＳ（Universal Mobile Telecommunications System）であれば、歪み算出部１８０は、５ＭＨｚ離調の隣接チャネル漏洩電力であるＡＣＬＲ（Adjacent Channel Leakage Ratio）５や、１０ＭＨｚ離調の隣接チャネル漏洩電力であるＡＣＬＲ１０を算出し、得られた歪み情報を制御部１９０に出力する。
【００４３】
なお、歪み算出部１８０における演算手法はフーリエ変換以外であってもよい。例えば、歪み算出部１８０は、それぞれの周波数に合わせた、複数のデジタルフィルタを用いて、出力信号のレベルを検出しても良い。
【００４４】
次に、制御部１９０の動作について説明する。
【００４５】
制御部１９０は、歪み算出部１８０から出力された歪み情報に基づいて、遅延調整部１３０における遅延時間を制御する。具体的には、制御部１９０は、歪み算出部１８０から出力される歪みの値が最小となるよう、遅延調整部１３０の遅延時間を最適化する。アルゴリズムとしては、例えば、最急降下法が用いられる。
【００４６】
このように、本実施の形態では、送信装置１００は、デジタル領域において擬似的に変調信号を生成する。そして、制御部１９０は、振幅変調器１４０により得られる実際の変調信号に代えて、デジタル領域において擬似的に生成された変調信号（擬似変調信号）の歪み情報に基づいて、振幅経路と角度経路との遅延時間を調整するようにした。
【００４７】
擬似的に生成されたデジタル変調信号は、振幅信号及び角度変調信号を含み、制御部１９０は、当該デジタル変調信号の歪みが小さくなるように、遅延調整部１３０における遅延時間を制御する。このように、制御部１９０は、位相信号そのものを用いて遅延時間を調整するわけではないので、位相信号が原点付近を通過しない場合においても振幅信号と角度信号との時間差を最適点に制御することができる。
【００４８】
なお、擬似変調信号をアナログ領域で擬似的に生成することも考えられるが、この場合には、アナログ部品が必要となり、回路規模が大きくなってしまう。また、アナログ部品では消費電力が大きく、また、擬似変調信号を生成するためのアナログ部品においても個々にばらつきがあり、温度によって特性が変わるため、生成した擬似変調信号を用いて、振幅経路と角度経路との遅延を調整しても、当該擬似変調信号を生成するためのアナログ部品による影響まで含まれてしまう。
【００４９】
一方、上述したように、デジタル領域における擬似変調信号を用いることにより、歪み算出部１８０における演算処理を、デジタル処理回路を用いて行うことができるようになるため、回路規模の増加及び消費電力を抑えることができる。また、デジタル処理回路は遅延時間変動がないため、デジタル領域における擬似変調信号には、送信装置における振幅経路と角度経路との遅延時間による影響のみが含まれるようになる。
【００５０】
以上のように、本実施の形態では、デジタル振幅信号生成部１５０は、振幅信号をアナログ・デジタル変換したデジタル振幅信号を生成し、デジタル角度変調信号生成部１６０は、角度変調信号をアナログ・デジタル変換した信号に相当するデジタル角度変調信号を生成し、乗算器１７０は、デジタル振幅信号とデジタル角度変調信号とを乗算して、振幅変調器１４０により生成される変調信号をアナログ・デジタル変換した信号に相当するデジタル変調信号を擬似的に生成する。そして、歪み算出部１８０は、デジタル変調信号の歪みを算出し、制御部１９０は、デジタル変調信号の歪みに基づいて、遅延時間を制御し、遅延調整部１３０は、振幅信号が振幅変調器１４０に入力されるまでの遅延時間、又は、角度変調信号が振幅変調器１４０に入力されるまでの遅延時間を調整するようにした。
【００５１】
すなわち、送信装置１００において、入力端子１１０−１には、振幅信号が入力され、入力端子１１０−２には、角度信号が入力され、送信装置１００は、第２の入力端子１１０−２に接続された角度変調器１２０と、角度変調器１２０の出力に接続された振幅変調器１４０と、入力端子１１０−１は、振幅変調器１４０のもう一方の入力端子に接続され、振幅変調器１４０に入力される振幅信号をＡＤ変換するためのＡＤＣ１５１と、角度変調器１２０に入力される信号をＡＤ変換するためのＡＤＣ１６１と、ＡＤＣ１６１の出力に接続され、角度変調するためのデジタル角度変調器１６２と、ＡＤＣ１５１の出力と、デジタル角度変調器１６２の出力とを掛け算する乗算器１７０と、乗算器１７０の出力信号の歪みを計算するための歪み算出部１８０と、入力端子１１０−１の出力と、ＡＤＣ１５１の入力と振幅変調器１４０の入力との接続点の間、或いは、入力端子１１０−２の出力と、ＡＤＣ１６１の入力と角度変調器１２０の入力との接続点の間、に接続された遅延調整部１３０と、歪み算出部１８０の結果に基づき、歪みが小さくなるように、遅延調整部１３０の遅延時間を制御する制御部１９０と、を具備する。
【００５２】
このようにして、送信装置１００は、デジタル領域で変調信号を擬似的に生成し、生成したデジタル変調信号の歪みに基づいて振幅経路と角度経路との遅延時間を調整する。そのため、回路規模の増加を抑えつつ、変調信号の位相信号の特性に関わらず、振幅信号を位相信号との時間差を最適点に制御し、安定した特性を有することができるようになる。
【００５３】
また、角度変調器１２０の遅延時間、或いは、振幅変調器１４０の２つの経路間の遅延時間差が無視できない場合には、それぞれの遅延時間を予め測定しておいて、その分の遅延時間をＡＤＣ１５１、或いは、ＡＤＣ１６１の後段で追加すればよい。例えば、角度変調器１２０における遅延時間と振幅変調器１４０において角度変調信号が入力されてから出力されるまでの遅延時間との和がｄ１、振幅変調器１４０において振幅信号が入力されてから出力までの遅延時間がｄ２であり、ｄ１＜ｄ２の場合、ＡＤＣ１５１の出力側に（ｄ２−ｄ１）の遅延時間をもつ遅延調整部を別途挿入すればよい。
【００５４】
なお、遅延調整部１３０の挿入位置は、振幅経路に限定されるものではなく、角度信号の経路に挿入されるようにしてもよい。ＡＤＣ１６１と角度信号の経路との接続点の前段であれば遅延調整部１３０をどこに設けてもよく、例えば、遅延調整部１３０を入力端子１１０−２の直後に設けてもよい。
【００５５】
また、遅延調整部１３０における遅延調整は、所定の間隔で行えばよく、例えばＵＭＴＳであればスロットごと又はフレームごとに行えばよい。
【００５６】
以上の制御により、振幅信号と角度信号との遅延時間を、最適点に調整することが可能となり、遅延時間のずれによる歪みの劣化を防ぐことができる。
【００５７】
（実施の形態２）
図５は、本実施の形態に係る送信装置の要部構成を示すブロック図である。なお、図５の本実施の形態に係る送信装置において、図２と共通する構成部分には、図２と同一の符号を付して説明を省略する。図５の送信装置２００は、図２の送信装置１００に対して、角度変調器１２０及びデジタル角度変調信号生成部１６０に代えて、角度変調器２１０及びデジタル角度変調信号生成部２２０を有する。また、図５の送信装置２００において、入力端子１１０−１からは振幅信号が入力され、入力端子１１０−２からは周波数信号が入力される。本実施の形態では、周波数信号として、位相信号の差分が入力されるとして説明する。
【００５８】
角度変調器２１０は、周波数変調器であって、減算器２１１、フィルタ２１２、発振器２１３及び周波数検出器２１４を有する。
【００５９】
減算器２１１は、入力端子１１０−２から入力される周波数信号と、周波数検出器２１４から入力される周波数信号とを比較し、これらの差分をフィルタ２１２に出力する。
【００６０】
フィルタ２１２は、減算器２１１において算出された差分から不要成分を除去し、除去後の差分信号を発振器２１３に出力する。
【００６１】
発振器２１３は、フィルタ２１２からの差分信号の信号レベルに応じた周波数を有する高周波数信号を生成し、生成した高周波数信号を周波数検出器２１４及び振幅変調器１４０に出力する。このようにして、発振器２１３により、周波数変調が実現される。発振器２１３としては、例えば、電圧制御発振器（ＶＣＯ：Voltage Controlled Oscillator）或いはデジタル制御発振器（ＤＣＯ：Digitally Controlled Oscillator）が用いられる。
【００６２】
周波数検出器２１４は、入力された高周波信号の周波数に応じた値を出力する。なお、周波数検出器２１４として、例えば、ＦＤＣ（Frequency to Digital Converter）を用いる場合には、周波数検出器２１４においてデジタル周波数信号が得られる。周波数検出器２１４は、デジタル周波数信号を減算器２１１に出力する。
【００６３】
このようにして、角度変調器２１０では、フィードバック系が構成されるので、発振器２１３の特性が変動しても安定した信号を出力することが可能となる。
【００６４】
デジタル角度変調信号生成部２２０は、積分器２２１及びｅｘｐ（ｊｘ）演算器２２２を有する。
【００６５】
積分器２２１は、周波数検出器２１４から出力されるデジタル周波数信号を積分し、デジタル位相信号を生成する。積分器２２１は、生成したデジタル位相信号をｅｘｐ（ｊｘ）演算器２２２に出力する。
【００６６】
ｅｘｐ（ｊｘ）演算器２２２は、ｅｘｐ（ｊｘ）演算器１６２１と同様の構成を採り、入力ｘに対して、それぞれｃｏｓ（ｘ）、ｓｉｎ（ｘ）を演算し、演算結果を乗算器１７０の乗算器１７１−１、１７１−２に出力する。なお、図５において、乗算器１７０は、図３及び図４の乗算器１７０と同様の構成を採る。
【００６７】
以上のように構成された送信装置の動作について説明する。
【００６８】
入力端子１１０−１から入力された振幅信号は、遅延調整部１３０で遅延調整された後、振幅変調器１４０の入力端子（電源電圧端子）に入力される。
【００６９】
一方、入力端子１１０−２から入力された周波数信号は、減算器２１１で比較処理された後、フィルタ２１２で不要信号が抑圧され、発振器２１３に入力される。発振器２１３からは、入力された信号レベルに応じた周波数を有する高周波信号が出力される。
【００７０】
発振器２１３により出力された高周波信号は、周波数検出器２１４に入力され、周波数検出器２１４からは、入力された高周波信号の周波数に応じた値（デジタル周波数信号）が出力される。周波数検出器２１４の出力は、減算器２１１のもう一方の入力端子に入力され、減算器２１１は、入力端子１１０−２から入力された周波数信号と周波数検出器２１４の出力（デジタル周波数信号）との差分をフィルタ２１２に出力する。なお、周波数検出器２１４の出力が、中心周波数を表すＤＣ成分を有する場合、そのＤＣ成分を減算し、取り除いたのちデジタル角度変調器２２０に入力しても良い。
【００７１】
次に、歪み検出系の説明をする。
【００７２】
振幅変調器１４０に入力される振幅信号は、ＡＤＣ１５１によりデジタル信号に変換され、変換後のデジタル振幅信号は、乗算器１７０に入力される。一方、周波数検出器２１４から出力された、デジタル周波数信号は、積分器２２１で積分された後、ｅｘｐ（ｊｘ）演算器２２２で演算処理され、演算結果は乗算器１７０に入力される。乗算器１７０では、デジタル振幅信号とデジタル角度変調信号とが掛け算され、デジタル変調信号が生成される。デジタル変調信号は、歪み算出部１８０において歪み計算され、歪み結果に基づき、制御部１９０により遅延調整部１３０の遅延時間が調整される。なお、制御部１９０における遅延時間の制御方法は、実施の形態１と同様であるので、詳細の説明は省略する。
【００７３】
このように、本実施の形態では、周波数検出器２１４が、図２におけるＡＤＣ１６１と同様の働きをし、更に、周波数検出器２１４は、減算器２１１、フィルタ２１２、発振器２１３からなる周波数変調器（角度変調器２１０）の遅延ばらつきも補償することができる。
【００７４】
以上のように、本実施の形態では、角度変調器１２０は、周波数変調器であって、減算器２１１と、減算器２１１における比較結果から不要成分を除去するフィルタ２１２と、フィルタ２１２出力のレベルに応じた周波数で発振し、高周波数信号を生成する発振器２１３と、高周波信号の周波数を検出して、検出結果をデジタル周波数信号として出力する周波数検出器２１４と、を具備し、減算器２１１は、周波数信号と、デジタル周波数信号とを比較する。デジタル角度変調信号生成部２２０は、デジタル周波数信号を積分して、デジタル位相信号を生成する積分器２２１と、デジタル位相信号を複素数演算してデジタル角度変調信号を生成するｅｘｐ（ｊｘ）演算器２２２、を具備する。これにより、振幅信号と、位相信号の遅延時間が調整され、歪みの劣化を防ぐことができる。
【００７５】
なお、図６は、角度信号の入力信号が位相信号の場合の送信装置の要部構成を示すブロック図である。図５の送信装置２００に対し、図６の送信装置３００は、角度変調器２１０及びデジタル角度変調信号生成部２２０に対し、角度変調器３１０及びデジタル角度変調信号生成部３２０を備える。図６の構成においても、図５の構成と同様の効果が得られる。
【００７６】
角度変調器３１０は、位相変調器であって、減算器３１１と、減算器３１１における比較結果から不要成分を除去するフィルタ３１２と、フィルタ３１２出力のレベルに応じた周波数で発振し、高周波信号を生成する発振器３１３と、高周波信号の位相を検出して、検出結果をデジタル位相信号として出力する位相検出器３１４と、を具備し、減算器３１１は、位相信号と、デジタル周波数信号とを比較する。上述したように、図５の送信装置２００では、角度変調器２１０において、周波数検出器２１４が、発振器２１３により生成された高周波信号の周波数を検出してデジタル周波数信号を生成し、デジタル角度変調信号生成部２２０において、積分器２２１が、当該デジタル周波数信号を積分してデジタル位相信号を生成する。これに対し、図６の送信装置３００では、角度変調器３１０において、位相検出器３１４が、発振器３１３により生成された高周波信号から、デジタル位相信号を直接生成する。送信装置３００では、高周波信号からデジタル位相信号を検出するため、ｅｘｐ（ｊｘ）演算器３２１の前段に積分器が不要となる。
【００７７】
なお、遅延調整部１３０の挿入位置は、振幅経路に限定されるものではなく、位相信号経路或いは周波数信号経路に挿入されるようにしてもよい。例えば、図５及び図６において減算器２１１、３１１の前段に遅延調整部１３０を設けてもよい。
【００７８】
また、振幅変調器１４０が２つの経路間で遅延時間差がある場合は、実施の形態１と同様に、ＡＤＣ１５１と乗算器１７０の間、或いは、ｅｘｐ（ｊｘ）演算器２２２、３２１の前段又は後段に、遅延時間をもつ遅延調整部を別途挿入すればよい。
【００７９】
（実施の形態３）
図７は、本実施の形態に係る送信装置の要部構成を示すブロック図である。なお、図７の本実施の形態に係る送信装置において、図２と共通する構成部分には、図２と同一の符号を付して説明を省略する。図７の送信装置４００は、図２の送信装置１００に対して、角度変調器１２０及びデジタル角度変調信号生成部１６０に代えて、角度変調器４１０及びデジタル角度変調信号生成部４２０を有する。
【００８０】
図７の送信装置４００において、入力端子１１０−１からは振幅信号が入力され、入力端子１１０−４、１１０−５から、それぞれ振幅が規格化されたＩ信号、Ｑ信号が入力される。振幅が規格化されたＩ信号とは、ＩＱのなすベクトルの角度をθとしたとき、ｃｏｓθのことであり、振幅が規格化されたＱ信号とは、ｓｉｎθのことである。
【００８１】
角度変調器４１０は、局発信号生成器４１１、９０°位相器４１２、ミキサ４１３−１、４１３−２及び加算器４１４を有する直交変調器である。
【００８２】
局発信号生成器４１１は、例えばＰＬＬ（Phase Locked Loop）で構成され、局発信号を生成し、局発信号を９０°位相器４１２に出力する。
【００８３】
９０°位相器４１２は、ミキサ４１３−１、４１３−２に、位相が９０°ずれた信号を出力する。
【００８４】
ミキサ４１３−１は、入力端子１１０−４からの振幅が規格化されたＩ信号（同相信号）、及び、９０°位相器４１２からの局発信号を入力とし、これらを乗算し、乗算結果を加算器４１４に出力する。
【００８５】
ミキサ４１３−２は、入力端子１１０−５からの振幅が規格化されたＱ信号（直交信号）、及び、９０°位相器４１２からの局発信号を入力とし、これらを乗算し、乗算結果を加算器４１４に出力する。なお、ミキサ４１３−１、４１３−２に入力される局発信号は、９０°位相器４１２により、位相が９０°ずれた関係になっている。
【００８６】
加算器４１４は、ミキサ４１３−１出力及びミキサ４１３−２出力を加算し、加算結果を振幅変調器１４０に出力する。
【００８７】
デジタル角度変調信号生成部４２０は、ＡＤＣ４２１−１、４２１−２を有する。
【００８８】
ＡＤＣ４２１−１は、振幅が規格化されたＩ信号（同相信号）をデジタル信号に変換して、デジタル同相信号を生成し、デジタル同相信号を乗算器１７０の乗算器１７１−１に出力する。
【００８９】
ＡＤＣ４２１−２は、振幅が規格化されたＩ信号（直交信号）をデジタル信号に変換して、デジタル直交信号を生成し、デジタル直交信号を乗算器１７０の乗算器１７１−２に出力する。
【００９０】
乗算器１７１−１は、デジタル振幅信号と、デジタル同相信号とを乗算し、デジタル領域において実数成分信号（以下「デジタル実数成分信号」という）を擬似的に生成する。乗算器１７１−１は、デジタル実数成分信号を歪み算出部１８０に出力する。
【００９１】
乗算器１７１−２は、デジタル振幅信号と、デジタル直交信号とを乗算し、デジタル領域において虚数成分信号（以下「デジタル虚数成分信号」という）を擬似的に生成する。乗算器１７１−２は、デジタル虚数成分信号を歪み算出部１８０に出力する。
【００９２】
以上のように構成された送信装置４００の動作について説明する。
【００９３】
入力端子１１０−１から振幅信号が入力され、入力端子１１０−４、１１０−５から、それぞれ振幅が規格化されたＩ信号、Ｑ信号が入力される。ＩＱのなすベクトルの角度をθとしたとき、振幅が規格化されたＩ信号とはｃｏｓθのことであり、振幅が規格化されたＱ信号とはｓｉｎθのことである。入力端子１１０−１から入力された振幅信号は、遅延調整部１３０で遅延時間を調整された後、振幅変調器１４０に入力される。
【００９４】
一方、入力端子１１０−４に入力された、振幅が規格化されたＩ信号は、ミキサ４１３−１に入力される。また、入力端子１１０−５に入力された、振幅が規格化されたＱ信号は、ミキサ４１３−２に入力される。局発信号生成器４１１で生成された局発信号は、９０°位相器４１２を介して、ミキサ４１３−１、４１３−２に入力される。ここで、９０°位相器４１２によって、ミキサ４１３−１、４１３−２に入力される信号は、位相が９０°ずれた関係になっている。ミキサ４１３−１、４１３−２の出力は、加算器４１４で合成された後、振幅変調器１４０のもう一方の入力端子に入力される。上述したように、局発信号生成器４１１、９０°位相器４１２、ミキサ４１３−１、４１３−２、加算器４１４は、角度変調器を構成している。
【００９５】
振幅変調器１４０では、角度変調器４１０から入力された角度変調信号が、遅延調整部１３０から入力された振幅信号で振幅変調されて変調信号が生成され、変調信号は出力端子１１０−３から出力される。
【００９６】
次に、遅延時間補償系の説明をする。
【００９７】
ミキサ４１３−１、４１３−２に入力される、振幅が規格化されたＩ信号及びＱ信号は、それぞれＡＤＣ４２１−１、４２１−２においてデジタル信号に変換される。ＡＤＣ４２１−１，４２１−２の出力（デジタルＩ信号及びデジタルＱ信号）は、それぞれ、乗算器１７１−１、１７１−２に入力される。
【００９８】
一方、振幅変調器１４０に入力される振幅信号は、ＡＤＣ１５１においてデジタル値に変換され、乗算器１７１−１、１７１−２のもう一方の入力端子に入力される。
【００９９】
乗算器１７１−１、１７１−２では、デジタル振幅信号と、デジタルＩ信号及びデジタルＱ信号とが掛け算され、デジタルＩ変調信号及びデジタルＱ変調信号が生成される。こように、乗算器１７１−１、１７１−２の出力は、デジタル変調信号の実数成分、虚数成分として、歪み算出部１８０に入力される。歪み算出部１８０の歪み結果は、制御部１９０に出力され、制御部１９０は、遅延調整部１３０の遅延時間を制御する。歪み算出部１８０及び制御部１９０の動作については、実施の形態１及び実施の形態の２と同様であるので、詳細な説明は省略する。
【０１００】
以上のように、角度変調器４１０は、直交変調器であり、角度変調器４１０は、角度信号として、規格化された同相信号及び直交信号を入力として、角度変調信号を生成し、デジタル角度変調信号生成部４２０は、デジタル角度変調信号として、規格化された同相信号をアナログ・デジタル変換して、デジタル同相信号を生成する第１のＡＤＣ４２１−１と、規格化された直交信号をアナログ・デジタル変換して、デジタル直交信号を生成する第２のＡＤＣ４２１−２と、を具備する。乗算器１７０は、デジタル振幅信号とデジタル同相信号とを乗算してデジタル変調信号の同相成分を生成する第１の乗算器１７１−１と、デジタル振幅信号とデジタル直交信号とを乗算してデジタル変調信号の直交成分を生成する第２の乗算器１７１−２と、を具備する。歪み算出部１８０は、デジタル変調信号の同相成分及び直交成分を用いて、歪みを算出するようにした。これにより、振幅信号と、位相信号の遅延時間が調整され、歪みの劣化を防ぐことができる。
【０１０１】
なお、遅延調整部１３０の挿入位置は、振幅経路に限定されるものではなく、位相信号経路に挿入されるようにしてもよい。例えば、図７において入力端子１１０−４、１１０−５の後段に遅延調整部１３０を設けてもよい。
【０１０２】
また、振幅変調器１４０の２つの経路が遅延時間差を有する場合は、対応する遅延時間差をＡＤＣ１５１の後段或いはＡＤＣ４２１−１、４２１−２の後段に挿入すればよい。
【０１０３】
（実施の形態４）
実施の形態１から実施の形態３では、デジタル変調信号をベースバンド領域において生成した。本実施の形態では、デジタル変調信号を無線周波数領域において生成する。
【０１０４】
図８は、本実施の形態に係る送信装置の要部構成を示すブロック図である。なお、図８の本実施の形態に係る送信装置において、図２と共通する構成部分には、図２と同一の符号を付して説明を省略する。図８の送信装置５００は、図２の送信装置１００に対して、デジタル角度変調信号生成部１６０に代えて、デジタル角度変調信号生成部５１０を有する。
【０１０５】
デジタル角度変調信号生成部５１０は、デジタル角度変調信号生成部１６０からデジタル角度変調器１６２を削除した構成を採る。すなわち、デジタル角度変調信号生成部５１０は、ＡＤＣ５１１から構成される。そして、デジタル角度変調信号生成部５１０は、無線周波数領域における角度変調信号に対して、アナログ・デジタル変換することにより、無線周波数領域においてデジタル角度変調信号を生成する。
【０１０６】
したがって、デジタル角度変調信号生成部５１０の後段の乗算器１７０は、ベースバンド領域のデジタル振幅変調信号と、無線周波数領域のデジタル角度変調信号とを乗算して、無線周波数領域のデジタル変調信号を生成する。
【０１０７】
以上のように構成された送信装置５００の動作について説明する。
【０１０８】
入力端子１１０−１から振幅信号が入力され、入力端子１１０−２から角度信号、すなわち、位相信号或いは周波数信号が入力される。入力端子１１０−１から入力された振幅信号は、遅延調整部１３０で遅延調整された後、振幅変調器１４０の入力端子（電源電圧端子）に入力される。
【０１０９】
一方、入力端子１１０−２から入力された角度信号は、角度変調器１２０で角度変調された後、振幅変調器１４０のもう一方の入力端子に入力される。
【０１１０】
振幅変調器１４０では、角度変調器１２０から入力された角度変調信号を、遅延調整部１３０から入力された振幅信号で振幅変調されて変調信号が生成され、変調信号は出力端子１１０−３から出力される。
【０１１１】
次に、遅延時間補償系について説明する。
【０１１２】
振幅変調器１４０に入力される振幅信号は、ＡＤＣ１５１によってデジタル信号に変換され、変換後のデジタル振幅信号は乗算器１７０に出力される。一方、振幅変調器１４０に入力される角度変調信号は、ＡＤＣ５１１でデジタル信号に変換され、変換後のデジタル角度変調信号は乗算器１７０に出力される。
【０１１３】
乗算器１７０では、ＡＤＣ１５１から出力されるデジタル振幅信号と、ＡＤＣ５１１から出力されるデジタル角度変調信号とが掛け算される。これにより、デジタル領域におけるデジタル変調信号が生成される。デジタル変調信号は、歪み算出部１８０に入力され、歪み算出部１８０の演算結果は、制御部１９０に入力され、制御部１９０は、遅延調整部１３０の遅延時間を制御する。歪み算出部１８０及び制御部１９０の動作については、実施の形態１から実施の形態３と同様であるため、説明を省略する。
【０１１４】
以上のように、本実施の形態では、デジタル角度変調信号生成部５１０は、角度変調器１２０により生成された無線周波数領域の角度変調信号をアナログ・デジタル変換して、無線周波数領域のデジタル角度変調信号を生成するＡＤＣ５１１を具備し、乗算器１７０は、デジタル振幅信号と無線周波数領域のデジタル角度変調信号とを乗算して、デジタル変調信号を生成する。このようにして、送信装置５００は、デジタル処理を用いて、振幅信号と角度変調信号との遅延時間を調整するため、回路規模の増加を抑えつつ、歪みの劣化を防止することができる。
【０１１５】
なお、遅延調整部１３０の挿入位置は、振幅経路に限定されるものではなく、位相信号経路或いは周波数信号経路に挿入されるようにしてもよい。例えば、入力端子１１０−２の後段、又は、角度変調器１２０の後段に遅延調整部１３０に設けてもよい。
【０１１６】
なお、図９から図１１に、本実施の形態に係る送信装置の別のブロック図を示す。
【０１１７】
図９に示す送信装置５００Ａは、ＡＤＣ５１１の後段に周波数変換器５１２を有する。周波数変換器５１２は、無線周波数領域のデジタル角度変調信号に対しダウンコンバートして、デジタル角度変調信号の周波数を低くする。これにより、以降の歪み算出部１８０等のデジタル信号処理部の動作クロックを低減することができるようになる。なお、図１０に示す送信装置５００Ｂのように、周波数変換器５１２をＡＤＣ５１１の前段に設け、アナログ・デジタル変換する前に、無線周波数領域の角度変調信号をダウンコンバートしても良い。また、図１１に示す送信装置５００Ｃように、周波数変換器５１２に代えて、復調器５１３を用いてデジタル角度変調信号生成部５１０Ｃを構成し、デジタルＩ信号及びデジタルＱ信号を復調するようにしても良い。また、図１１において、ＡＤＣ５１１の前段に周波数変換器５１２を設けダウンコンバートするようにしても良い。
【０１１８】
（実施の形態５）
実施の形態１から実施の形態４では、送信装置について説明した。本実施の形態では、実施の形態１から実施の形態４に係る送信装置を具備する無線通信装置について説明する。
【０１１９】
図１２は、本実施の形態に係る無線通信装置６００のブロック図である。
【０１２０】
無線通信装置６００は、アンテナ６２０、共用器６３０、送信装置６４０及び受信装置６５０を具備する。図１２において、送信装置６４０に、実施の形態１から実施の形態４で説明した各送信装置を適用される。
【０１２１】
送信データが入力端子６１０−１から入力され、送信装置６４０によって、変調され、高周波信号に変換される。送信装置６４０の出力は、共用器６３０を介して、アンテナ６２０から輻射される。一方、アンテナ６２０から入力された受信信号は、共用器６３０を介して受信装置６５０に入力される。共用器６３０は、送信と受信を弁別するためのブロックであり、スイッチや、誘電体あるいはＳＡＷデバイスを用いたフィルタで構成される。受信装置６５０は、受信した信号を復調し、出力端子６１０−２から、受信データを出力する。送信装置６４０として、実施の形態１から実施の形態４で説明した各送信装置の構成を適用することにより、無線通信装置６００は、低歪みの送信を実現することができる。
【産業上の利用可能性】
【０１２２】
本発明に係る送信装置、無線通信装置及び送信方法は、携帯電話、無線ＬＡＮ等の無線機器として有用である。
【符号の説明】
【０１２３】
１００、２００、３００、４００、５００、５００Ａ、５００Ｂ、５００Ｃ、６４０  送信装置
１１０−１、１１０−２、１１０−４、１１０−５、６１０−１  入力端子
１１０−３、６１０−２  出力端子
１２０、２１０、３１０、４１０  角度変調器
１２１  位相変調器
１２２、５１２  周波数変換器
１３０  遅延調整部
１４０  振幅変調器
１５０  デジタル振幅信号生成部
１５１、１６１、４２１−１、４２１−２、５１１  ＡＤＣ
１６０、２２０、３２０、４２０、５１０、５１０Ａ、５１０Ｂ、５１０Ｃ  デジタル角度変調信号生成部
１６２  デジタル角度変調器
１６２２、１７０、１７１−１、１７１−２  乗算器
１６２１、２２２、３２１  ｅｘｐ（ｊｘ）演算器
１６２３、２２１  積分器
１６２１−１  ｃｏｓ（ｘ）演算器
１６２１−２  ｓｉｎ（ｘ）演算器
１８０  歪み算出部
１９０  制御部
２１１、３１１  減算器
２１２、３１２  フィルタ
２１３、３１３  発振器
２１４  周波数検出器
２２２  ｅｘｐ（ｊｘ）演算器
３１４  位相検出器
４１１  局発信号生成器
４１２  ９０°位相器
４１３−１、４１３−２  ミキサ
４１４  加算器
５１３  復調器
６００  無線通信装置
６２０  アンテナ
６３０  共用器
６５０  受信装置
【図１】
2011146979.tif 000003
【図２】
2011146979.tif 000004
【図３】
2011146979.tif 000005
【図４】
2011146979.tif 000006
【図５】
2011146979.tif 000007
【図６】
2011146979.tif 000008
【図７】
2011146979.tif 000009
【図８】
2011146979.tif 000010
【図９】
2011146979.tif 000011
【図１０】
2011146979.tif 000012
【図１１】
2011146979.tif 000013
【図１２】
2011146979.tif 000014